(57)【特許請求の範囲】
【請求項１】
被写体画像が入射されるカメラ部と、前記カメラ部と同一光軸上に配置されたビューファインダーと、回転させることにより抵抗値を変化させてビデオカメラの動作制御を行う回転可変抵抗器と、前記回転可変抵抗器に固定され一部が外部に露出した回転ツマミとを有し、前記カメラ部と前記ビューファインダーとの間に前記回転可変抵抗器の一部を介在したことを特徴とするビデオカメラ。
【発明の詳細な説明】
【０００１】
【発明の属する技術分野】
本発明は、回転可変抵抗器を用いてズーミング制御が可能なビデオカメラに関するものである。
【０００２】
【従来の技術】
近年、ビデオカメラは小型でありながらも、使いやすさが重要視されている。
【０００３】
以下に、従来のビデオカメラについて図面を用いて説明する。
図５は従来のビデオカメラの構成を示す斜視図、図６は従来のビデオカメラの一部を断面表示した上面図、図７及び図８は図６におけるＡ−Ａ部の断面図である。図において、１１はビデオカメラ本体、１２はビデオカメラ本体１１にその一部が露出した状態で設けられた回転ツマミで、例えばズーム操作を行う際に使用するズームツマミを示す。２１は回転ツマミ１２を図７における矢印ＣまたはＤ方向に回動させると回転する回転ＶＲで、ビス２５によりケース２６に固定されている。２３は内部に表示部を有し覗き込むことにより撮影画像や再生画像を目視確認可能なビューファインダー、２４は被写体信号が入射されレンズや固体撮像素子などからなるカメラ部、２７は回転ＶＲの回転軸である。
【０００４】
以上のように構成された従来のビデオカメラについて、以下その動作について説明する。
【０００５】
まず、使用者はビューファインダー２３を覗き込んで画像を確認しながら、回転ツマミ１２を図７に示す矢印ＣまたはＤ方向に回動させることで、カメラ部２４内のレンズを駆動したりビデオカメラ本体１１内の信号処理回路において画像拡大／縮小処理を行ったりすることで、ズーミング動作を操作することができる。回転ツマミ１２は図８に示すように、１２ａに示す位置から１２ｂに示す位置まで回動可能としている。回転ツマミ１２を回動させると、回転ＶＲ２１が回転軸２７を中心に回転し、その抵抗値の変化に伴い、内部回路でズーミング制御を行っている。
【０００６】
ここで、回転ＶＲ２１は図６に示すように、ビデオカメラ本体１１の幅方向に、ビューファインダー２３に完全に隣接した位置に設けられている。
【０００７】
【発明が解決しようとする課題】
しかしながら上記の従来の構成では、回転ＶＲ２１をビューファインダー２３に完全に隣接した位置に設けてあるため、図７で示す如く、ビューファインダー２３と回転ＶＲ２１との間にある幅３２Ｗの隙間により、ビデオカメラ本体１１の全体幅３４が大きくなり、ビデオカメラ本体１１が大型化してしまうという問題を有していた。
【０００８】
本発明は上記従来の問題点を解決するもので、ビデオカメラ本体の幅を小さくして小型化することができるビデオカメラを提供することを目的とする。
【０００９】
【課題を解決するための手段】
この目的を達成するために本発明のビデオカメラは、被写体画像が入射されるカメラ部と、前記カメラ部と同一光軸上に配置されたビューファインダーと、回転させることにより抵抗値を変化させてビデオカメラの動作制御を行う回転可変抵抗器と、前記回転可変抵抗器に固定され一部が外部に露出した回転ツマミとを有し、前記カメラ部と前記ビューファインダーとの間に前記回転可変抵抗器の一部を介在した構成を有している。
【００１０】
この構成によって、ビデオカメラ本体の幅を小さくして小型化することができるビデオカメラが得られる。
【００１１】
【発明の実施の形態】
本発明の請求項１に記載の発明は、被写体画像が入射されるカメラ部と、前記カメラ部と同一光軸上に配置されたビューファインダーと、回転させることにより抵抗値を変化させてビデオカメラの動作制御を行う回転可変抵抗器と、前記回転可変抵抗器に固定され一部が外部に露出した回転ツマミとを有し、前記カメラ部と前記ビューファインダーとの間に前記回転可変抵抗器の一部を介在したものであり、ビデオカメラ本体の幅を小さくして小型化することができるという作用を有する。
【００１２】
以下、本発明の実施の形態について、図面を用いて説明する。
（実施の形態１）
図１は本実施の形態におけるビデオカメラの斜視図、図２は同実施の形態のビデオカメラの上面図で、説明をしやすくするために一部を断面表示している。図３は図２におけるＢ−Ｂ部の断面図、図４（ａ）は図３に示す断面図におけるビューファインダー近傍の要部断面図、図４（ｂ）は同実施の形態における回転ＶＲの正面図である。図において、１１１はビデオカメラ本体、１１２はビデオカメラ本体１１１にその一部が露出した状態で設けられた回転ツマミ、１２４は被写体信号が入射されレンズや固体撮像素子などからなるカメラ部、１１３は内部に表示部を有し使用者が覗き込むことにより撮影画像や再生画像を目視確認可能なビューファインダーで、カメラ部１２４と同一光軸位置に配されている。回転ツマミ１１２は図４の１２２ａに示す位置から１２２ｂに示す位置まで回動可能となり、ズーム操作の広角と望遠位置に対応する。１２１は回転ツマミ１１２を図３における矢印ＡまたはＢ方向に回動させるとともに回転する回転ＶＲで、ねじ１２５によりケース１２６に固定されている。回転ＶＲ１２１は、内部に回転可変抵抗器を有した回転ＶＲ本体１２１ａと、回転ＶＲ本体１２１ａと回転ツマミ１１２とをつなぎ回転ツマミ１１２の回動に伴い回転する軸１２１ｂよりなる。回転ツマミ１１２は軸１２１ｂに連結されており、軸１２１ｂの軸芯方向はビューファインダー１１３の側面と平行に配されている。この回転ツマミ１１２の回動に伴い、軸１２１ｂを介して回転ＶＲ本体１２１ａの内部に配された回転可変抵抗器の抵抗値が変化し、例えばズーム操作時の広角と望遠に対応したカメラ部１２４内のレンズ移動等の制御が行われる。ここで、図２に示すように、回転ＶＲ本体１２１ａの一部はビューファインダー１１３とカメラ部１２４との間に介在する。
【００１３】
図３において、１３４はビデオカメラ本体１１１の全体幅寸法、１３１Ｗは回転ＶＲ１２１の幅寸法、１３３Ｗはビューファインダー１１３の幅寸法である。図５において、１４１Ｗは回転ＶＲ１２１におけるビューファインダー１１３との幅方向のオーバーラップ寸法である。
【００１４】
以上のように構成された本実施の形態のビデオカメラについて、以下その動作について説明する。
【００１５】
まず、使用者はビューファインダー１１３を覗き込んで画像を確認しながら、回転ツマミ１１２を図３に示す矢印ＡまたはＢ方向に回動させることで、カメラ部１２４内のレンズを駆動したりビデオカメラ本体１１１内の信号処理回路において画像拡大／縮小処理を行ったりすることで、ズーミング動作を操作することができる。回転ツマミ１１２は図４（ａ）に示すように、１２２ａに示す位置から１２２ｂに示す位置まで回動可能としている。回転ツマミ１１２を回動させると、回転ツマミ１１２が固定された軸１２１ｂが回転し、それに伴い回転ＶＲ１２１の内部に配された回転可変抵抗器が軸１２１ｂを中心に回転し、その抵抗値の変化に伴い、内部回路でズーミング制御を行っている。
【００１６】
ここで、回転ＶＲ１２１の回転ＶＲ本体１２１ａは、図２に示すようにその一部がカメラ部１２４とビューファインダー１１３との間に介在している。図３及び図４に示すように、回転ＶＲ本体１２１ａにおいて寸法１４１Ｗ分だけ、ビューファインダー１１３の幅方向に重なっている。
【００１７】
以上のように本実施の形態によれば、ビューファインダー１１３と回転ＶＲ１２１との間の隙間をなくし、さらに回転ＶＲ本体１２１ａの一部をビューファインダー１１３とカメラ部１２４との間に介在させることにより、図３に示すようにビューファインダー１１３の幅寸法１３３Ｗと回転ＶＲ１２１の幅寸法１３１Ｗとがそのままビデオカメラ本体１１１の幅寸法１３４に影響せず、寸法１４１Ｗの分だけビデオカメラ本体１１１の幅方向を短くできる。
【００１８】
【発明の効果】
以上のように本発明は、ビデオカメラ本体の幅寸法を、回転ＶＲの幅寸法とビューファインダーの幅寸法の和より短くし、ビデオカメラ本体を小型できるという優れた効果が得られる。
【図面の簡単な説明】
【図１】本発明の実施の形態の回転ＶＲを備えたビデオカメラにおけるビューファインダーをチルトさせた状態の斜視図
【図２】同実施の形態のビデオカメラの上面図
【図３】同実施の形態のビデオカメラにおける図２のＢ−Ｂ部の断面図
【図４】（ａ）同実施の形態のビデオカメラにおける図２のＢ−Ｂ部の断面図
（ｂ）同実施の形態における回転ＶＲの構成を示す正面図
【図５】従来のビデオカメラの斜視図
【図６】従来のビデオカメラの構成を上面図
【図７】従来のビデオカメラにおける図９のＡ−Ａ部の断面図
【図８】従来のビデオカメラにおける図９のＡ−Ａ部の断面図
【符号の説明】
１１１  ビデオカメラ本体
１１２  回転ツマミ
１１３  ビューファインダー
１２１  回転可変抵抗器
１２４  カメラ部
【図１】
0003617293.tif 000002
【図２】
0003617293.tif 000003
【図３】
0003617293.tif 000004
【図４】
0003617293.tif 000005
【図５】
0003617293.tif 000006
【図６】
0003617293.tif 000007
【図７】
0003617293.tif 000008
【図８】
0003617293.tif 000009